(57)【要約】    【課題】      消費電力を減少することができるとともに、受信環境の変化が生じた場合でも受信性能を向上することができる受信装置、移動体通信端末及び通信システムを提供する。    【解決手段】  通信システムを構築する移動体通信端末に組み込まれた受信装置１０は、誤り訂正復号部２４から出力される復号判定信号が入力され、受信品質の判定に使用する閾値を受信品質判定部１８に出力する受信品質閾値設定部２５を備えている。この受信品質閾値設定部２５は、誤り訂正復号部２４から出力される誤り訂正復号の結果に基づき、閾値を調整（可変又は補正）することができる。この調整された閾値に基づき、受信品質判定部１８においては受信品質の判定を行なう。この判定結果に基づき、制御部１９は、等化器２２の動作を制御し、又は等化・復号処理部２０の動作を制御する。  【選択図】      図１
2005318215.tif 000002
【特許請求の範囲】
【請求項１】
受信信号の受信品質を測定する測定手段と、
前記受信信号の符号間干渉を除去する等化器と、
前記受信信号の復号誤りの検出を行い、前記復号誤りの検出結果に基づき誤り訂正復号を行う誤り訂正復号部と、
前記誤り訂正復号の結果に基づき、前記受信品質の判定に使用する閾値を調整する閾値設定手段と、
前記閾値に基づき測定された前記受信信号の受信品質を判定する受信品質判定手段と、
前記受信品質の判定結果に基づき、前記等化器の動作を制御する制御手段と、
を備えたことを特徴とする受信装置。
【請求項２】
前記閾値設定手段は、前記誤り訂正復号の結果をカウントするカウンタと、前記受信品質に応じて調整する閾値を複数格納したテーブルと、を備え、
前記カウンタにより前記誤り訂正復号の結果が一定時間以上不良か若しくは良好であると測定された場合に前記閾値を変更することを特徴とする請求項１記載の受信装置。
【請求項３】
前記誤り訂正復号部において誤り訂正復号の結果は、ビタビ復号の結果又は巡回冗長検査の結果であることを特徴とする請求項１記載の受信装置。
【請求項４】
前記等化器の等化処理後の受信信号と前記等化処理前の受信信号とを比較する比較器を更に備え、
前記閾値設定手段は、前記比較器の受信信号の比較結果に基づき前記受信信号の判定に使用する閾値を調整することを特徴とする請求項１記載の受信装置。
【請求項５】
前記閾値設定手段は、第１の閾値及び第２の閾値の調整を行い、
前記制御手段は、前記受信品質判定手段において前記受信品質が前記第１の閾値以上である場合に前記等化器の動作を停止し、前記受信品質が前記第２の閾値以下である場合に前記等化器及び前記誤り訂正復号部の動作を停止する制御を行なうことを特徴とする請求項１記載の受信装置。
【請求項６】
前記閾値設定手段は、前記誤り訂正復号の結果をカウントするカウンタと、前記受信品質に応じて調整する第１の閾値及び第２の閾値を複数格納したテーブルと、を備え、前記カウンタにより前記誤り訂正復号の結果が一定時間以上不良か若しくは良好であると測定された場合に前記第１の閾値及び第２の閾値を変更し、
前記制御手段は、前記受信品質判定手段において前記受信品質が前記第１の閾値以上である場合に前記等化器の動作を停止し、前記受信品質が前記第２の閾値以下である場合に前記等化器及び前記誤り訂正復号部の動作を停止し、前記受信品質が一定時間以上良好であると測定された場合に前記等化器及び前記誤り訂正復号部の動作を開始する制御を行なうことを特徴とする請求項１記載の受信装置。
【請求項７】
前記請求項１乃至請求項６のいずれかに記載の受信装置を備えたことを特徴とする移動体通信端末。
【請求項８】
前記請求項７記載の移動体通信端末を含むことを特徴とする通信システム。
【発明の詳細な説明】
【技術分野】
【０００１】
本発明は、受信装置、移動体通信端末及び通信システムに関し、特にデジタル移動体通信端末に組み込まれる受信装置、このデジタル移動体通信端末及びデジタル移動体通信端末を含み構築される通信システムに関する。
【背景技術】
【０００２】
移動体通信の特徴として、移動中の送受信によるドップラー効果又は建造物による遮蔽、反射、回折等により多重波伝播経路（マルチパス）が存在する事が挙げられる。マルチパスにおいては、送信データの先行波と遅延波との間において符号間干渉が発生する。この符号間干渉を受信信号から取り除き、元の送信データを抽出するには、移動体通信端末の受信装置に等化器が必要になる。
【０００３】
近年の移動体通信システムにおいては、伝送速度の高速化の要求から等化器の採用は必須である。ところが、受信信号の受信時において、等化器の消費電力が大きく、電池やバッテリーを電源とする移動体通信端末は長時間使用することができないという技術的な課題がある。
【０００４】
下記特許文献１〜特許文献３には、移動体携帯端末又はその受信機において、低消費電力化方法が開示されている。
【０００５】
特許文献１には、受信信号レベル測定・判定部を受信回路に設け、受信信号レベルの低下が検出された場合にのみ等化器を動作させる方法が開示されている。特許文献２には、逆に、受信信号レベルが基準値よりも小さい場合に等化器を停止する方法が開示されている。特許文献３には、送信電波を受信した場合のみ等化器を動作させる方法が開示されている。
【０００６】
この種の受信回路は、図７に示すように、送信側からの送信データを受信するアンテナ１と、この受信信号の増幅及び周波数変換を行う高周波（ＲＦ）アンプ部２と、アナログデジタル変換を行うＡＤコンバータ３と、復調を行う復調器４と、受信信号のタイミング補償を行うタイミング補償回路５と、マルチパスフェージングによる符号間干渉を除去する等化器６と、等化処理後の受信信号の誤り訂正復号を行う誤り訂正復号部７と、受信信号の品質を測定し品質を判定する受信レベル測定・判定部８とを備えている。
【特許文献１】特許第３２５７５９１号公報
【特許文献２】特許第２６４３６１４号公報
【特許文献３】特許第３１６８６１０号公報
【発明の開示】
【発明が解決しようとする課題】
【０００７】
しかしながら、上記特許文献１〜特許文献３に開示された移動体携帯端末又はその受信機においては、以下の点について配慮がなされていなかった。
【０００８】
前述の移動体携帯端末又はその受信機は、伝送路の影響による符号間干渉強度、高周波の回線品質（SNR：Signal to Noise Ratio）等の受信環境の変化が生じた場合においても、受信信号レベルからなる受信品質の閾値を変更することができないので、結果的に復号後のデータに誤りが生じ、音声品質の劣化又はパケットロスを生じる可能性があった。更に、受信環境の変化が生じた場合においては、誤り訂正可能なデータに関しても受信品質の閾値を変更することができないので、同様に、音声品質の劣化又はパケットロスを生じる可能性があった。従って、移動体携帯端末又はその受信機においては、受信性能が低下する可能性があった。
【０００９】
本発明は、かかる点に鑑みてなされたものであり、消費電力を減少することができるとともに、受信環境の変化が生じた場合でも受信性能を向上することができる受信装置、移動体通信端末及び通信システムを提供することを目的とする。
【課題を解決するための手段】
【００１０】
本発明の受信装置は、受信信号の受信品質を測定する測定手段と、前記受信信号の符号間干渉を除去する等化器と、前記受信信号の復号誤りの検出を行い、前記復号誤りの検出結果に基づき誤り訂正復号を行う誤り訂正復号部と、前記誤り訂正復号の結果に基づき、前記受信品質の判定に使用する閾値を調整する閾値設定手段と、前記閾値に基づき測定された前記受信信号の受信品質を判定する受信品質判定手段と、前記受信品質の判定結果に基づき、前記等化器の動作を制御する制御手段とを備えた構成を採る。
【００１１】
この構成によれば、等化器を通過した等化処理後の受信信号の復号処理を行う誤り訂正復号部において誤り訂正復号の結果を閾値設定手段に出力し、この閾値設定手段において誤り訂正復号の結果に応じて受信品質の判定に使用する閾値を調整する（可変又は補正する）ことができる。一定の基準を満たした受信信号が受信環境の変化により復号後に誤りが生じた場合であっても、受信品質判定手段において調整された閾値に基づき受信信号の受信品質を判定することができるので、受信性能を向上することができる。更に、調整された閾値に基づき等化器の動作を制御する、具体的には、受信信号の受信品質が高く等化処理が必要ない場合及び等化処理を実行しても受信信号を正しく復号できない場合には等化器を停止する制御を行い、受信信号の受信品質が低く等化処理が必要な場合には等化器を動作させる制御を行なうことができるので、消費電力を減少することができる。
【００１２】
本発明の受信装置は、前記閾値設定手段は、前記誤り訂正復号の結果をカウントするカウンタと、前記受信品質に応じて調整する閾値を複数格納したテーブルとを備え、前記カウンタにより前記誤り訂正復号の結果が一定時間以上不良か若しくは良好であると測定された場合に前記閾値を変更する構成を採る。
【００１３】
本発明の受信装置は、前記誤り訂正復号部において誤り訂正復号の結果は、ビタビ復号（Viterbi）の結果又は巡回冗長検査（CRC：Cyclic Redundancy Check）の結果である構成を採る。
【００１４】
本発明の受信装置は、前記等化器の等化処理後の受信信号と前記等化処理前の受信信号とを比較する比較器を更に備え、閾値設定手段は前記比較器の受信信号の比較結果に基づき前記受信信号の判定に使用する閾値を調整する構成を採る。
【００１５】
本発明の受信装置は、前記閾値設定手段は第１の閾値及び第２の閾値の調整を行い、前記制御手段は、前記受信品質判定手段において前記受信品質が前記第１の閾値以上である場合に前記等化器を停止し、前記受信品質が前記第２の閾値以下である場合に前記等化器及び前記誤り訂正復号部の動作を停止する制御を行なう構成を採る。
【００１６】
本発明の受信装置は、前記閾値設定手段は、前記誤り訂正復号の結果をカウントするカウンタと、前記受信品質に応じて調整する第１の閾値及び第２の閾値を複数格納したテーブルとを備え、前記カウンタにより前記誤り訂正復号の結果が一定時間以上不良か若しくは良好であると測定された場合に前記第１の閾値及び第２の閾値を変更し、前記制御手段は、前記受信品質判定手段において前記受信品質が前記第１の閾値以上である場合に前記等化器の動作を停止し、前記受信品質が前記第２の閾値以下である場合に前記等化器及び前記誤り訂正復号部の動作を停止し、前記受信品質が一定時間以上良好であると測定された場合に前記等化器及び前記誤り訂正復号部の動作を開始する制御を行なう構成を採る。
【００１７】
本発明の移動体通信端末は、前記受信装置を備えた構成を採る。
【００１８】
本発明の通信システムは、前記移動体通信端末を含む構成を採る。
【発明の効果】
【００１９】
本発明によれば、消費電力を減少することができるとともに、受信環境の変化が生じた場合でも受信性能を向上することができる受信装置、移動体通信端末及び通信システムを提供することができる。
【発明を実施するための最良の形態】
【００２０】
本発明の骨子は、受信装置、移動体通信端末及び通信システムにおいて、誤り訂正復号の結果に基づき受信品質の判定に使用する閾値を調整（可変又は補正）し、この調整された閾値に基づき受信信号の受信品質を測定し、この受信品質の測定結果を受信処理動作に反映させるとともに、等化処理を行なう等化器の動作を制御するようにしたことである。
【００２１】
以下、本発明の実施の形態について図面を参照して詳細に説明する。
【００２２】
［受信装置、移動体通信端末及び通信システムの構成］
図１に示す本発明の実施の形態に係る受信装置１０は移動体通信端末に組み込まれ、この移動体通信端末は通信システムを構築するようになっている。受信装置１０は、受信信号の受信品質を測定する測定手段と、マルチパスフェージングによる受信信号の符号間干渉を除去する等化器２２と、受信信号の復号誤りの検出を行い、復号誤りの検出結果に基づき誤り訂正復号を行う誤り訂正復号部２４と、誤り訂正復号の結果に基づき、受信品質の判定に使用する閾値を調整する閾値設定手段と、閾値に基づき測定された受信信号の受信品質を判定する受信品質判定手段と、受信品質の判定結果に基づき、等化器２２の動作を制御する制御手段とを備えている。
【００２３】
更に、受信装置１０は、送信側からの送信データを受信するアンテナ１１と、この受信された受信信号を増幅し周波数変換を行う高周波アンプ部１２と、アナログデジタル変換を行うＡＤコンバータ１３と、受信信号に復調処理を行う復調器１４と、受信信号のタイミング補償を行うタイミング補償回路１５とを備えている。
【００２４】
受信装置１０の測定手段は、実施の形態において、高周波アンプ部１２から出力される受信信号の受信レベルを簡易的に検出する受信レベル検出部１６と、復調器１４から出力される受信信号の符号間干渉強度を簡易的に測定する符号間干渉強度測定部１７とを備えている。受信品質判定手段は受信品質判定部１８を備えている。この受信品質判定部１８は、受信レベル検出部１６の検出結果並びに符号間干渉強度測定部１７の測定結果を入力し、閾値設定手段から調整された閾値を入力し、この閾値に基づき受信信号レベルの受信品質、符号間干渉強度の信号品質を判定する。
【００２５】
閾値設定手段は実施の形態において受信品質閾値設定部２５を備えている。この受信品質閾値設定部２５は誤り訂正復号部２４に接続されており、誤り訂正復号部２４から受信品質閾値設定部２５には誤り訂正復号の結果を示す復号判定信号が出力されるようになっている。受信品質閾値設定部２５は、図示していないが、実施の形態において、誤り訂正復号の結果（復号判定信号数）をカウントするカウンタと、受信品質に応じて調整する閾値を複数格納したテーブルとを備えている。
【００２６】
ここで、テーブルに格納された複数の閾値とは、後述する受信品質レベルを判定する第１の閾値α１、第２の閾値α２、符号間干渉強度を判定する第１の閾値β１及び第２の閾値β２の他に、受信環境の変化に応じて判定レベルを調整（可変又は補正）した閾値を含む意味において使用されている。受信品質閾値設定部２５は、基本的には、復号判定信号に基づき閾値を調整し、この調整された閾値を受信品質判定部１８に出力する。
【００２７】
受信品質閾値設定部２５に内蔵された前述のカウンタは、誤り訂正復号の結果をカウントし、誤り訂正復号の結果が一定時間以上不良か若しくは良好であると測定された場合に閾値を変更するようになっている。なお、カウンタは、必ずしも受信品質閾値設定部２５に配設することに限定されるものではなく、例えば誤り訂正復号部２４に内蔵又は外付け（等化・復号処理部２０に内蔵）され、カウント結果を受信品質閾値設定部２５に出力するようにしてもよい。具体的な受信品質閾値設定部２５の動作並びに閾値の具体的な説明は後述する。
【００２８】
等化器２２及び誤り訂正復号部２４は等価・復号処理部２０を構築する。この等化・復号処理部２０は更にセレクタ２１及び比較器２３を備えている。セレクタ２１は、タイミング補償回路１５から出力される受信信号を等化器２２に出力するか、又は比較器２３に直接出力するかを選択する。比較器２３は、等化器２２から出力される符号間干渉が除去された受信信号とタイミング補償回路１５から出力される受信信号とを比較し、この比較結果を誤り訂正復号部２４に出力する。
【００２９】
制御手段は実施の形態において制御部１９により構築されている。制御部１９は、受信品質判定部１８から出力される受信信号の受信品質の判定結果に基づき、等化・復号処理部２０の動作を制御する等化・復号処理制御信号を出力するとともに、この等化・復号処理部２０を構築する等化器２２の動作を制御する等化器制御信号をセレクタ２１に出力する。
【００３０】
［受信装置の動作］
図１に示す受信装置１０は、まず最初に高周波アンプ部１２において増幅され周波数変換された受信信号を、ＡＤコンバータ１３、測定手段の受信レベル検出部１６にそれぞれ分配する。受信レベル検出部１６においては、受信信号レベルの測定が行われる。
【００３１】
一方、ＡＤコンバータ１３においてアナログデジタル変換が行われ、復調器１４において復調処理が行われた受信信号は符号間干渉強度測定部１７に入力され、この符号間干渉強度測定部１７において以下の方法により符号間干渉強度が算出される。
【００３２】
（１）受信装置１０において受信された受信信号（バースト）には、図２（ａ）に示すように、受信時の伝送路やチャネルを推定するための既知系列（トレーニング部）が含まれている。復調器１４において復調処理後（又はタイミング補償回路１５のタイミング補償後）の受信信号から既知系列を抽出することができる（この抽出された既知系列は、以下、単に、抽出既知系列という。）。図示しないが、符号間干渉強度測定部１７にはテーブル（例えばRAM等のメモリ）を備えており、このテーブルには予め設定された受信装置１０としての既知系列が格納されている（この格納された既知系列は、以下、単に、格納既知系列という。）。抽出既知系列は格納既知系列との間において相関をとるために、値の変換が行われる。ここでは、抽出既知系列「１」は「＋１」に、「０」は「−１」にそれぞれ変換される（この変換された既知系列は、以下、単に、変換既知系列という。）。
【００３３】
（２）図２（ｂ）に示すように、変換既知系列は、シンボル毎に、格納既知系列との相関をとる（この相関をとった既知系列は、以下、単に、相関既知系列という。）。ここで、相関にはシンボル毎に積をとる相関方法が使用される。
【００３４】
（３）図２（ｃ）に示すように、この相関既知系列において、シンボル毎に相関値の和が算出される。
【００３５】
（４）図２（ｄ）に示すように、算出された相関値の和の逆数を算出し、この算出された逆数が符号間干渉強度となる。例えば、抽出既知系列と格納既知系列との差が大きい場合、符号間干渉強度は「１」に近づく（符号間干渉強度が「大」になる。）。逆に、抽出既知系列と格納既知系列との差が小さい場合、符号間干渉強度は「０」に近づく（符号間干渉強度が「小」になる。）
【００３６】
次に、受信レベル検出部１６において検出された受信信号レベルは受信品質判定部１８に出力され、符号間干渉強度測定部１７において測定された符号間干渉強度は受信品質判定部１８に出力される。受信品質判定部１８において、受信信号レベル、符号間干渉強度のそれぞれが判定される。受信信号レベル、符号間干渉強度のそれぞれの判定に使用される閾値は、等化器２２の等化処理限界に対応しており、受信品質閾値設定部２５に備えている。
【００３７】
閾値には、受信信号の受信品質が高く等化処理を行なう必要がない受信品質であることを判定する第１の閾値と、受信信号の受信品質が悪く等化処理を行っても正しく復号できない可能性のある受信品質であることを判定する第２の閾値との２種類の閾値が受信品質閾値設定部２５において設定されている。
【００３８】
具体的には、図３に示すように、受信信号レベルの判定においては、受信信号レベルが良く等化処理を行なう必要がない受信品質であることを判定する第１の閾値α１と、受信信号レベルが悪く等化処理を行っても正しく復号できない可能性がある受信品質であることを判定する第２の閾値α２とが設定されている。ここで、受信信号レベルが「ｘ」であると仮定すると、符号間干渉強度の影響を考慮しない場合、受信信号レベルｘが第１の閾値α１以上である場合、等化処理を行なう必要がない。逆に、受信信号レベルｘが第２の閾値α２以下の場合、等化処理をしても正しく復号できない可能性がある。
【００３９】
また、図４に示すように、符号間干渉強度の判定においては、符号間干渉強度が低く（受信品質が良い）等化処理を行なう必要がない受信品質であることを判定する第１の閾値β１と、符号間干渉強度が高く（受信品質が悪く）等化処理を行っても正しく復号できない可能性がある受信品質であることを判定する第２の閾値β２とが設定されている。ここで、符号間干渉強度が「ｙ」であると仮定すると、受信信号レベルの影響を考慮しない場合、符号間干渉強度ｙが第１の閾値β１以上である場合、等化処理を行なう必要がない。逆に、符号間干渉強度ｙが第２の閾値β２以下の場合、等化処理をしても正しく復号できない可能性がある。
【００４０】
これら第１の閾値α１、β１、第２の閾値α２、β２は、いずれも誤り訂正復号部２４から出力される復号判定信号に基づき、受信信号閾値設定部２５において調整（可変又は補正）することができる。
【００４１】
ここで、受信信号レベルと符号間干渉強度との間には相関性がないので、受信品質判定部１８においては、図５に示す下記（ａ）〜（ｃ）に示すモード設定に従って受信信号の受信品質を判定する。
【００４２】
（ａ）受信信号レベルｘ＞第１の閾値α１及び符号間干渉強度ｙ＞第１の閾値β１を満たす場合
（ｂ）受信信号レベルｘ＜第２の閾値α２及び符号間干渉強度ｙ＜第２の閾値β２を満たす場合
（ｃ）上記（ａ）及び（ｂ）以外の場合
【００４３】
なお、図５において、領域ｚ１は第１の閾値α１、β１のそれぞれの差分の閾値帯域を表している。同様に、領域ｚ２は第２の閾値α２、β２のそれぞれの差分の閾値帯域を表している。
【００４４】
上記モード（ａ）は、受信品質判定部１８において、受信信号レベルが高くかつ符号間干渉強度が低い、つまり受信品質が高いと判定される場合である。この場合、等化処理を行なう必要がないので、図１に示す制御部１９は等化器制御信号をセレクタ２１に出力する。セレクタ２１においては、等化器制御信号に基づき、等化器２２による等化処理を実行的に停止し、タイミング補償後の受信信号を比較器２３に直接伝送する。
【００４５】
モード（ｂ）は、受信品質判定部１８において、受信信号レベルが低くかつ符号間干渉強度が高い、つまり受信品質が低いと判定される場合である。この場合、等化処理を行っても正しい復号結果が得られない可能性があるので、制御部１９は等化・復号処理部２０に等化・復号処理制御信号を出力する。等化・復号処理部２０においては、等化・復号処理制御信号に基づき、等化・復号処理部２０の動作を停止する。
【００４６】
つまり、等化・復号処理をすべて停止する。受信装置１０においては、等化・復号処理のすべてが停止された場合、タイミング補償回路１５までの処理を行い、受信信号レベル並びに符号間干渉強度が第２の閾値α２並びに第２の閾値β２以上になった場合に再び等化・復号処理を開始（再開）するようになっている。この等化・復号処理の開始は、受信品質判定部１８から出力される受信品質の判定結果に基づき、制御部１９から出力される等化・復号処理制御信号により行われる。
【００４７】
モード（ｃ）は、受信信号レベル並びに符号間干渉強度が通常レベル、つまり受信品質が通常レベルであると判定される場合である。この場合、制御部１９は、等化器制御信号をセレクタ２１に出力するとともに、等化・復号処理制御信号を等化・復号処理部２０に出力する。等化・復号処理部２０においては、等化・復号処理制御信号に基づき、等化・復号処理が行われる。セレクタ２１においては、等化器制御信号に基づき、タイミング補償後の受信信号を等化器２２に伝送し、等化器２２は等化処理を行なう。
【００４８】
このような受信装置１０の等化・復号処理において、図１に示す誤り訂正復号部２４は一定のシンボル若しくはバースト分の復号結果を常に監視する。この復号結果は、復号判定信号として誤り訂正復号部２４から受信品質閾値設定部２５に出力される。ここで、誤り訂正復号の結果には、ビタビ復号の結果又は巡回冗長検査の結果を実用的に使用することができる。
【００４９】
受信品質閾値設定部２５に備えたカウンタは、復号判定信号の受信回数をカウントし、正しく復号できない状態が指定のシンボル若しくはバースト分で続いた場合に、その旨の信号を出力する。受信品質閾値設定部２５においては、このカウンタの出力に基づき、受信品質判定部１８において現在使用されている第１の閾値α１、β１、第２の閾値α２、β２のそれぞれに代えて、テーブルに別途格納された、受信品質の判定に使用される適切な閾値を受信品質判定部１８に出力する。つまり、受信品質判定部１８において、閾値を調整することができる。
【００５０】
具体的には、受信装置１０の動作中において、高周波の特性変化又は信号電力対干渉電力比（CIR）の変化によって受信品質の基準値を満たしているにもかかわらず正しく復号できない場合が発生する。例えば、図６に示すように、受信品質が領域（閾値帯域）ｚ１内に存在し正しく復号することができなかった場合、誤り訂正復号部２４から復号判定信号が出力され、この復号判定信号に基づき受信品質閾値設定部２５は、矢印Ａに示すように領域ｚ１を底上げするように調整された閾値を受信品質判定部１８に出力する。この結果、等化器２２において等化処理を行なうことができる。
【００５１】
また、受信品質が領域ｚ２内に存在し、等化処理を行っても正しく復号できない可能性が高い場合には、矢印Ｂに示すように領域ｚ２を底上げするように調整された閾値を受信品質判定部１８に出力する。この結果、等化・復号処理を行なわないようにすることができる。
【００５２】
一方、信号電力対干渉電力比が改善され、受信信号の等化処理を必要としなくなる場合がある。この場合、タイミング補償後の受信信号をセレクタ２１で振り分け、等化器２２において等化処理がなされた受信信号と等化器２２を通さない受信信号とが比較器２３において比較される。この結果、等化処理を行なわなくても正しく復号することができると判定された場合は、誤り訂正復号部２４から受信品質閾値設定部２５に復号判定信号が出力され、この復号判定信号に基づき受信品質閾値設定部２５は、矢印Ｃに示すように領域ｚ１を底下げするように調整された閾値を受信品質判定部１８に出力する。この結果、等化器２２による等化処理を行なわないようにすることができる。
【００５３】
同様に、受信品質が低く、等化・復号処理部２０の動作を停止していた場合には、一定時間毎に等化・復号処理を一時的に再開する。この一定時間毎の等化・復号処理において、受信信号が正しく復号された結果が一定数得られた場合には、矢印Ｄに示すように領域ｚ２を底下げするように調整された閾値を受信品質判定部１８に出力する。この結果、等化・復号処理部２０による等化・復号処理を行なうようにすることができる。
【００５４】
このように、実施の形態によれば等化器２２を通過した等化処理後の受信信号の復号処理を行う誤り訂正復号部２４において誤り訂正復号の結果を受信品質閾値設定部２５に出力し、この受信品質閾値設定部２５において誤り訂正復号の結果に応じて受信品質の判定に使用する閾値を調整（可変又は補正）することができる。一定の基準を満たした受信信号が受信環境の変化により復号後に誤りが生じた場合であっても、受信品質判定部１８において調整された閾値に基づき受信信号の受信品質を判定することができるので、受信装置１０の受信性能を向上することができる。受信装置１０の受信性能の向上により、受信装置１０を組み込む移動体通信端末の受信性能を向上することができ、結果的に通信システム全体の受信性能を向上することができる。
【００５５】
更に、調整された閾値に基づき等化器２２の動作を制御する、具体的には、受信信号の受信品質が高く等化処理が必要ない場合及び等化処理を実行しても受信信号を正しく復号することができない場合には等化器２２を停止する制御を行い、受信信号の受信品質が低く等化処理が必要な場合には等化器２２を動作させる制御を行なうことができるので、消費電力を減少することができる。更に、受信品質の判定に使用される閾値を調整することができるので、受信性能をより一層向上することができるとともに、消費電力をより一層減少することができる。
【産業上の利用可能性】
【００５６】
本発明に係る受信装置、移動体通信端末及び通信システムは、消費電力を減少することができるとともに、受信環境の変化が生じた場合でも受信性能を向上することができるという効果を有し、同様の処理回路を有する装置及びシステムへの用途にも応用することができる。
【図面の簡単な説明】
【００５７】
【図１】本発明の実施の形態に係る、通信システムを構築する移動体通信端末に組み込まれた受信装置のブロック図
【図２】（ａ）〜（ｄ）は図１に示す受信装置において符号間干渉強度の測定方法を説明する図
【図３】図１に示す受信装置において受信信号レベルの閾値を説明する図
【図４】図１に示す受信装置において符号間干渉強度の閾値を説明する図
【図５】図１に示す受信装置において受信品質の閾値を説明する図
【図６】図１に示す受信装置において誤り訂正復号の結果に基づいた閾値の調整方法を説明する図
【図７】従来技術に係る受信機のブロック図
【符号の説明】
【００５８】
１０  受信装置
１１  アンテナ
１２  高周波アンプ部
１３  ＡＤコンバータ
１４  復調器
１５  タイミング補償回路
１６  受信レベル検出部
１７  符号間干渉強度測定部
１８  受信品質判定部
１９  制御部
２０  等化・復号処理部
２１  セレクタ
２２  等化器
２３  比較器
２４  誤り訂正復号部
２５  受信品質閾値設定部
【図１】
2005318215.tif 000003
【図２】
2005318215.tif 000004
【図３】
2005318215.tif 000005
【図４】
2005318215.tif 000006
【図５】
2005318215.tif 000007
【図６】
2005318215.tif 000008
【図７】
2005318215.tif 000009